(57)【要約】【課題】一般的なキーを出し入れして突出しないように収納可能であり、かつキーの出し入れを簡単に行うことが可能なキーホルダの提供。【解決手段】キーＫの全体を収納可能なケース２であり、キーＫの一端に形成された把持部Ｓを回転可能に支持する支持部を構成する貫通孔３と、キーＫを支持部周りに回転させて出し入れするための開口部４を有するケース２と、キーＫの錠前に挿入される側の先端部Ｅに被さる略Ｃ字状の回転部材５であり、一部が開口部４から突出しており、キーＫの収納位置においてキーＫの先端部Ｅの近傍位置に設けられた支軸６を中心として回転し、キーＫの先端部Ｅを開口部４から押し出す回転部材５とを有する。【選択図】図４
2011226101.tif 000002
【特許請求の範囲】
【請求項１】
キーの全体を収納可能なケースであり、前記キーの一端に形成された把持部を回転可能に支持する支持部と、前記キーを前記支持部周りに回転させて出し入れするための開口部を有するケースと、
前記キーの錠前に挿入される側の先端部に被さる略Ｃ字状の回転部材であり、一部が前記開口部から突出しており、前記キーの収納位置において前記キーの先端部の近傍位置に設けられた支軸を中心として回転し、前記キーの先端部を前記開口部から押し出す回転部材と
を有するキーホルダ。
【請求項２】
前記支軸は、前記キーの中心線よりも前記開口部に近い位置にあることを特徴とする請求項１記載のキーホルダ。
【請求項３】
前記キーの収納状態において前記回転部材の回転を規制するロック部を有する請求項１または２に記載のキーホルダ。
【請求項４】
前記回転部材は、前記キーの収納状態において前記キーの先端部の両端縁にそれぞれ近接または接触する形状である請求項３記載のキーホルダ。
【発明の詳細な説明】
【技術分野】
【０００１】
本発明は、キーを出し入れすることが可能な収納型のキーホルダに関する。
【背景技術】
【０００２】
キーを出し入れすることが可能な収納型のキーホルダとして、例えば特許文献１には、コの字形状で上部に切り欠きおよびその反対側下部に斜めに面取りを設け、キーより長さの短い本体に、キーを挿入した状態で取り付け穴と鍵穴の位置を合わせ、留め具で留めたものが記載されている。このキーホルダでは、本体がキーより長さが短いため、収納した状態ではキーの先端が本体より突出するため簡単にキーを出し入れすることができる。また、下部に斜めに面取りを設けているので、キーを少し引き出した状態においても先端が本体の中に入り込まず、簡単にキーを出し入れすることができるというものである。
【０００３】
また、特許文献２には、グリップ体の先端部にキー（キーブレード）の中心線上の一端を回転自在に軸支してなり、使用状態においてグリップ体から飛び出したキーをグリップ体の側縁に沿ってグリップ体内部に収納可能な飛び出しキーであって、キーの回転中心近傍には、キーの収納操作時にグリップ体から飛び出して収納操作時の押し込み代を提供する突起が設けられる飛び出しキーが記載されている。
【先行技術文献】
【特許文献】
【０００４】
【特許文献１】特開２００１−１６４８０２号公報
【特許文献２】特開２００１−２４８３３６号公報
【発明の概要】
【発明が解決しようとする課題】
【０００５】
特許文献１に記載のキーホルダでは、キーホルダ本体がキーより長さが短いため、キーがキーホルダ本体から飛び出した状態であり、ズボンや上着等の衣類のポケットに入れた場合に衣類を破いてしまう可能性がある。また、特許文献２に記載のものでは、キー自体に突起を設けているため、キー自体が特殊なものとなり、一般的に使用されているキーを使用することができないという問題がある。
【０００６】
そこで、本発明においては、一般的なキーを出し入れして突出しないように収納可能であり、かつキーの出し入れを簡単に行うことが可能なキーホルダを提供することを目的とする。
【課題を解決するための手段】
【０００７】
本発明のキーホルダは、キーの全体を収納可能なケースであり、キーの一端に形成された把持部を回転可能に支持する支持部と、キーを支持部周りに回転させて出し入れするための開口部を有するケースと、キーの錠前に挿入される側の先端部に被さる略Ｃ字状の回転部材であり、一部が開口部から突出しており、キーの収納位置においてキーの先端部の近傍位置に設けられた支軸を中心として回転し、キーの先端部を開口部から押し出す回転部材とを有するものである。
【０００８】
本発明のキーホルダでは、キーの全体はケース内に収納されており、キーの使用時には、開口部から突出した回転部材の一部を押して回転部材を回転させる。この略Ｃ字状の回転部材はキーの錠前に挿入される側の先端部に被さっており、この略Ｃ字状の回転部材がキーの先端部の近傍位置に設けられた支軸を中心として回転することで、キーの先端部が開口部からケース外へ押し出される。一方、キーの収納の際は、キーの先端部を開口部からケース内に押し込むと、ケース内の略Ｃ字状の回転部材がキーの先端部に被さり、支軸を中心として回転することで、元の収納位置へ復帰する。
【０００９】
ここで、支軸は、キーの中心線よりも開口部に近い位置にあることが望ましい。これにより、開口部から突出した回転部材の一部を押して回転部材を回転させる際に、少ない移動量でキーを大きく回転させて開口部から押し出すことが可能となる。
【００１０】
また、本発明のキーホルダは、キーの収納状態において回転部材の回転を規制するロック部を有することが望ましい。これにより、略Ｃ字状の回転部材の回転を規制すると、この略Ｃ字状の回転部材がキーの先端部に被さったままとなり、キーがケースの開口部から飛び出すことがない。
【００１１】
このとき、回転部材は、キーの収納状態においてキーの先端部の両端縁にそれぞれ近接または接触する形状であることが望ましい。これにより、キーの収納状態において略Ｃ字状の回転部材の回転が規制された際に、略Ｃ字状の回転部材内でのキーの移動量が少なくなる。
【発明の効果】
【００１２】
（１）キーの全体を収納可能なケースであり、キーの一端に形成された把持部を回転可能に支持する支持部と、キーを支持部周りに回転させて出し入れするための開口部を有するケースと、キーの錠前に挿入される側の先端部に被さる略Ｃ字状の回転部材であり、一部が開口部から突出しており、キーの収納位置においてキーの先端部の近傍位置に設けられた支軸を中心として回転し、キーの先端部を開口部から押し出す回転部材とを有することにより、一般的なキーを使用して、このキーの一端に形成された把持部を支持部により支持し、キーが突出しないようにキーの全体をケース内に収納可能である。また、キーの使用時には、開口部から突出した回転部材の一部を押して回転部材を回転させることで、キーの先端部がケース内から開口部から押し出され、キーの収納の際は、キーの先端部を開口部からケース内に押し込むと、ケース内の略Ｃ字状の回転部材がキーの先端部に被さり、元の収納位置へ復帰するので、キーの出し入れを簡単に行うことが可能である。
【００１３】
（２）支軸がキーの中心線よりも開口部に近い位置にあることにより、開口部から突出した回転部材の一部を押して回転部材を回転させる際に、少ない移動量でキーを大きく回転させて開口部から押し出すことが可能となるので、回転部材を小型化して、コンパクトなキーホルダを得ることができる。
【００１４】
（３）キーの収納状態において回転部材の回転を規制するロック部を有することにより、不意にキーがケースの開口部から飛び出すことを防止することが可能となる。特に、このとき回転部材が、キーの収納状態においてキーの先端部の両端縁にそれぞれ近接または接触する形状であることによって、キーの収納状態においてキーの移動量が少なくなるので、キーホルダの携行時に衝突音がほとんど発生しなくなる。
【図面の簡単な説明】
【００１５】
【図１】本発明の実施の形態におけるキーホルダの外観を示す正面図である。
【図２】図１のキーホルダの平面図である。
【図３】図２のＡ−Ａ断面図である。
【図４】図３のキーホルダの動作を示すＡ−Ａ断面図である。
【図５】図３のロック部の別の実施形態を示すＡ−Ａ断面図である。
【発明を実施するための形態】
【００１６】
図１は本発明の実施の形態におけるキーホルダの外観を示す正面図、図２は図１のキーホルダの平面図、図３は図２のＡ−Ａ断面図、図４は図３のキーホルダの動作を示すＡ−Ａ断面図である。
【００１７】
図１に示すように、本発明の実施の形態におけるキーホルダ１は、キーＫの全体をケース２内に収納可能なものである。ケース２には、キーＫの一端に形成された把持部Ｓを回転可能に支持する支持部を、ボールチェーンＣとともに構成する略長方形状の貫通孔３が形成されている。なお、ボールチェーンＣに代えて、環、紐やその他金具等を使用することも可能である。また、図２に示すように、ケース２の一端面には、キーＫを支持部周りに回転させて出し入れするための開口部４が設けられている。
【００１８】
図３に示すように、ケース２内には、キーＫの錠前（図示せず。）の挿入される側の先端部Ｅに被さる略Ｃ字状の回転部材５が設けられている。この回転部材５は、ケース２内に支軸６によって回転可能に軸支されており、この支軸６を中心として回転し、略Ｃ字状の内側にあるキーＫの先端部Ｅを開口部４から押し出すように動作する。なお、支軸６は、図３に示すようにキーＫの収納位置においてキーＫの先端部Ｅの近傍位置であって、キーＫの中心線Ｌよりも開口部４に近い位置に設けられている。
【００１９】
また、回転部材５は、一部が開口部４から突出して、キーＫの押し出し用のレバー部７を形成している。レバー部７は、図４に示すように、キーＫがケース２内に収納されているか否かに関わらず、開口部４から突出するようになっている。また、回転部材５は、図３に示すキーＫの収納状態において、キーＫの先端部Ｅの鍵溝（図示せず。）が形成される両端縁にそれぞれ近接する形状である。
【００２０】
さらに、回転部材５には、キーＫの収納状態においてその回転を規制するロック部を構成する突起８が設けられている。一方、ケース２内には、この突起８に対応する位置に凹部９が形成されている。これらの突起８および凹部９により回転部材５の回転を規制するロック部が構成されており、ケース２または回転部材５が弾性変形することにより、突起８は凹部９に対して出入りするようになっている。
【００２１】
上記構成のキーホルダ１では、キーＫの全体はケース１内に収納されており、キーＫの使用時には、開口部４から突出した回転部材５のレバー部７を図３の左側へ向かって押して、略Ｃ字状の回転部材５を反時計方向に回転させる。キーＫの全体がケース１内に収納されている初期状態（図４のＫ0の位置）では、この略Ｃ字状の回転部材５はキーＫの錠前に挿入される側の先端部Ｅに被さっている。
【００２２】
この初期状態から略Ｃ字状の回転部材５がキーＫの先端部Ｅの近傍位置に設けられた支軸６を中心として回転することで、図４に示すように、キーＫの先端部Ｅが開口部４からケース２外へ押し出される。このときキーＫは、その先端部Ｅがケース２外へ突出しているので、使用者はこのキーＫの先端部Ｅを指先で掴んで図４のＫ1，Ｋ2，Ｋ3に示すように回転させて容易に引き出すことが可能であり、キーＫを錠前に挿入して使用することができる。
【００２３】
一方、キーＫの収納の際は、キーＫの先端部Ｅを開口部４からケース２内に押し込むと、キーＫの先端部Ｅがケース２内の回転部材５の略Ｃ字状の内側に入り、回転部材５は支軸６を中心として時計方向に回転する。これにより、回転部材５は図３に示す元の収納位置へ復帰し、略Ｃ字状の回転部材５がキーＫの先端部Ｅに被さる。
【００２４】
このように本実施形態におけるキーホルダ１では、キーＫの出し入れを簡単に行うことが可能である。また、このキーホルダ１では、キーＫが何ら特殊な形状である必要はなく、一般的なキーＫを使用することが可能であり、キーＫの一端に形成された把持部Ｓを貫通孔３やボールチェーンＣ等により支持し、キーＫがケース２から突出しないようにキーＫの全体をケース２内に収納可能である。
【００２５】
特に、本実施形態におけるキーホルダ１では、支軸６がキーＫの中心線Ｌよりも開口部４に近い位置にあるため、開口部４から突出したレバー部７を押して回転部材５を回転させる際に、レバー部７の少ない移動量でキーＫを大きく回転させて開口部４から押し出すことが可能となっている。そのため、回転部材５は小型化されており、コンパクトなキーホルダ１となっている。
【００２６】
また、本実施形態におけるキーホルダ１は、キーＫの収納状態において回転部材５の回転を規制する突起８および凹部９からなるロック部を有しており、このロック部によりキーＫの収納状態において略Ｃ字状の回転部材５の回転が規制されている。そのため、この収納状態では、略Ｃ字状の回転部材５がキーＫの先端部Ｅに被さったまま回転が規制されており、キーＫがケース２の開口部４から飛び出すことがない。
【００２７】
また、特にこの回転部材５は、キーＫの収納状態においてキーＫの先端部Ｅの両端縁にそれぞれ近接する形状であるため、キーＫの収納状態において略Ｃ字状の回転部材５の回転がロック部により規制された際に、略Ｃ字状の回転部材５内でのキーＫの移動量が少なくなる。そのため、このキーホルダ１の携行時にキーＫがケース２内で移動してケース２の内面に衝突した際の音がほとんどしない。なお、回転部材５は、キーＫの収納状態においてキーＫの先端部Ｅの両端縁にそれぞれ接触する形状とすることも可能である。
【００２８】
なお、上記ロック部は、図５に示すように、ケース２内の別の場所にロック部材１０を設ける構成や、回転部材５に設けた凹凸部（図示せず。）に対応する位置に凸凹部１１を設ける構成とすることも可能である。なお、ロック部は、ケース２外部に設けることも可能であり、その位置や形状は自由に変更することが可能である。
【産業上の利用可能性】
【００２９】
本発明のキーホルダは、キーを出し入れすることが可能な収納型のキーホルダとして有用である。
【符号の説明】
【００３０】
１  キーホルダ
２  ケース
３  貫通孔
４  開口部
５  回転部材
６  支軸
７  レバー部
８  突起
９  凹部
１０  ロック部材
１１  凸凹部
【図１】
2011226101.tif 000003
【図２】
2011226101.tif 000004
【図３】
2011226101.tif 000005
【図４】
2011226101.tif 000006
【図５】
2011226101.tif 000007